(57)【要約】【課題】チャンネル切り替えに伴う表示画面の切り替えによりユーザに対して不快感を与えることがないようにできる。【解決手段】デジタルテレビ受信装置は、チューナ１１，１５により受信された信号を復調するＯＦＤＭ部１２，１６が設けられている。ＣＰＵ３０は、チューナ１１とＯＦＤＭ部１２、チューナ１５とＯＦＤＭ部１６とを動作させるダイバーシティモードと、個別に動作させるシングルモードに動作モードを切り替えることができる。ＣＰＵ３０は、チャンネル切り替え時に、シングルモードに切り替えさせ、切り替え前のチャンネルの信号の復調をＯＦＤＭ部１２により継続して実行させ、切り替え後のチャンネルの信号の復調をＯＦＤＭ部１６により開始させて、この復調された信号の出力が確立されるとダイバーシティモードに切り替えて、切り替え後のチャンネルの出力を開始する。【選択図】      図１
2006332762.tif 000002
【特許請求の範囲】
【請求項１】
デジタル方式の放送電波を受信する第１及び第２の受信手段と、
前記第１及び第２の受信手段によりそれぞれ受信された放送電波の信号を復調する第１及び第２の復調手段と、
前記第１及び第２の復調手段により復調された信号を入力して処理する信号処理手段と、
前記第１及び前記第２の受信手段と前記第１及び第２の復調手段とを１組のダイバーシティ受信回路として動作させるダイバーシティモードと、前記第１の受信手段と前記第１の復調手段及び前記第２の受信手段と前記第２の復調手段をそれぞれ独立した受信回路として動作させるシングルモードの何れかに動作モードを切り替えるモード切り替え手段と、
チャンネル切り替え指示が発生した時に、前記モード切り替え手段によりシングルモードに動作モードを切り替えさせ、チャンネル切り替え前の第１のチャンネルの信号の復調を第１の復調手段により継続して実行させると共に、チャンネル切り替え後の第２のチャンネルの信号の復調を前記第２の復調手段により開始させ、前記第２の復調手段により復調された信号の出力が確立されると、前記モード切り替え手段によりダイバーシティモードに動作モードを切り替えさせるように制御する制御手段と
を具備したことを特徴とするデジタルテレビ受信装置。
【請求項２】
前記チャンネル切り替えの指示が発生した時の前記第１及び第２の受信手段による放送電波の受信状態が所定レベルより不良となっているかを判別する受信状態判別手段と、
前記制御手段は、
前記受信状態判別手段により判別された受信状態が所定レベルより不良と判定された場合に、前記ダイバーシティモードの動作モードでチャンネル切り替え後の第２のチャンネルの信号の復調を前記第２の復調手段により開始させることを特徴とする請求項１記載のデジタルテレビ受信装置。
【請求項３】
前記信号処理手段は、前記第１及び第２の復調手段から出力される信号をそれぞれ入力するための入力ポートを有し、
前記第２の復調手段により復調された信号の出力が確立されるのに応じて、入力ポートを切り替えることを特徴とする請求項１記載のデジタルテレビ受信装置。
【請求項４】
前記制御手段は、前記モード切り替え手段により動作モードを前記シングルモードにより切り替えさせた場合に、チャンネル切り替え中を示す表示を出力することを特徴とする請求項１記載のデジタルテレビ受信装置。
【請求項５】
前記第１及び第２の復調手段は、前記ダイバーシティモードにより動作する場合に、一方がマスタ、他方がスレーブとして動作し、
前記信号処理手段は、マスタとして動作する復調手段において復調された信号を入力することを特徴とする請求項１記載のデジタルテレビ受信装置。
【請求項６】
前記信号処理手段により処理された信号をデコードする第１及び第２のデコード手段を具備し、
前記制御手段は、前記モード切り替え手段によりシングルモードに動作モードを切り替えさせた場合に、前記第１のチャンネルの信号のデコードを第１のデコード手段により継続して実行させると共に、前記第２のチャンネルの信号のデコードを前記第２のデコード手段により開始させ、前記第２のデコード手段によりデコードされた信号の出力が確立されると、前記モード切り替え手段によりダイバーシティモードに動作モードを切り替えさせるように制御することを特徴とする請求項１記載のデジタルテレビ受信装置。
【発明の詳細な説明】
【技術分野】
【０００１】
本発明は、デジタル方式のテレビ放送を受信するデジタルテレビ受信装置に関する。
【背景技術】
【０００２】
従来、デジタルテレビ受信装置の中には、地上波デジタルテレビ放送などのデジタル方式の放送電波をチューナにより選局して受信し、この放送電波に含まれるＨＤＴＶ（High Definition Television）方式の信号を復調し、さらに復調された信号から分離される映像信号に対するデコード処理を施した上で高精細な画像情報をモニタ出力するものがある（例えば、特許文献１参照）。
【０００３】
また、テレビ受信装置は、車両に搭載されて使用される機会も増大してきている。車両に搭載されたテレビ受信装置では、車両の走行に伴って電波状況が刻々と変化する場合であっても安定して番組の視聴が継続することができるようにダイバーシティ方式の受信方法が用いられている（例えば、特許文献２参照）。
【特許文献１】特開２００３−２３５８２号公報
【特許文献２】特開平１１−２５２４７４号公報
【発明の開示】
【発明が解決しようとする課題】
【０００４】
ところで、従来のデジタルテレビ受信装置においては、チャンネル切り替え時に、切り替え先のチャンネルの信号に対するＨＤＴＶ信号の復調のためにある程度の時間を要するため、次のチャンネルの映像が表示されるまでに、しばらく時間を要してしまう。従って、例えばユーザがチャンネル切り替えを指示すると、それまで視聴していた番組の映像が固定された画面、あるいは何も表示されていない画面の表示がしばらく続いた後、切り替え先のチャンネルの映像が表示され始めることになる。このため、ユーザが意図していない画面を表示させた状態で表示の切り替わりを待たせることになり、ユーザに対して不快感を与えてしまうおそれがあった。
【０００５】
また、特許文献２に記載されたテレビ受信装置では、ダイバーシティ方式によりテレビ放送を受信することで、ディスプレイの表示領域を分割して２種類の画像を表示する際にも画質の向上を図ることができるが、チャンネル切替時の復調に要する時間のための表示画面の切り替えについては何ら考慮されていない。
【０００６】
本発明の課題は、チャンネル切り替えに伴う表示画面の切り替えによりユーザに対して不快感を与えることがないようにすることが可能なデジタルテレビ受信装置を提供することにある。
【課題を解決するための手段】
【０００７】
本発明は、デジタル方式の放送電波を受信する第１及び第２の受信手段と、前記第１及び第２の受信手段によりそれぞれ受信された放送電波の信号を復調する第１及び第２の復調手段と、前記第１及び第２の復調手段により復調された信号を入力して処理する信号処理手段と、前記第１及び前記第２の受信手段と前記第１及び第２の復調手段とを１組のダイバーシティ受信回路として動作させるダイバーシティモードと、前記第１の受信手段と前記第１の復調手段及び前記第２の受信手段と前記第２の復調手段をそれぞれ独立した受信回路として動作させるシングルモードの何れかに動作モードを切り替えるモード切り替え手段と、チャンネル切り替え指示が発生した時に、前記モード切り替え手段によりシングルモードに動作モードを切り替えさせ、チャンネル切り替え前の第１のチャンネルの信号の復調を第１の復調手段により継続して実行させると共に、チャンネル切り替え後の第２のチャンネルの信号の復調を前記第２の復調手段により開始させ、前記第２の復調手段により復調された信号の出力が確立されると、前記モード切り替え手段によりダイバーシティモードに動作モードを切り替えさせるように制御する制御手段とを具備したことを特徴とする。
【発明の効果】
【０００８】
本発明によれば、チャンネル切り替えに伴う復調手段における復調が確立するまでに時間を要するとしても、チャンネル切り替え前の第１のチャンネルの信号の復調を第１の復調手段により継続して実行させることにより、それまで視聴されていた番組の映像をそのまま表示させておくことができ、一方、チャンネル切り替え後の第２のチャンネルの信号の復調を第２の復調手段により開始させ、第２の復調手段により復調された信号の出力が確立された時点で、ダイバーシティモードに動作モードを移行させて、チャンネル切り替え後の番組表示に切り替えることができる。従って、表示画面が固定されることなく常に受信中の番組を表示し続けることができ、ユーザに対して不快感を与えることがなく、またチャンネルの切り替え中以外ではダイバーシティモードにより動作するので表示画面の品質を高い状態で維持することができる。
【発明を実施するための最良の形態】
【０００９】
以下、図面を参照して本発明の実施の形態について説明する。
【００１０】
（第１実施形態）  
図１は、第１実施形態におけるデジタルテレビ受信装置の構成を示すブロック図である。
【００１１】
第１実施形態におけるデジタルテレビ受信装置は、室内または車載用のデジタルテレビ受信装置であり、例えば地上波デジタルテレビ放送などのデジタル方式の放送電波を受信して、この放送電波に含まれる映像信号及び音声信号に対するデコード処理を行なって映像のモニタ表示及び音声のスピーカ出力を行なう機能を有している。
【００１２】
デジタル方式の放送電波には、高精細な映像情報及び音声情報が含まれるＨＤＴＶ（High Definition Television）方式（ハイビジョン方式）の信号と、ＨＤＴＶ方式の信号と比較して帯域幅が狭い映像情報及び音声情報が含まれる１セグメント方式（簡易動画方式）の信号が含まれる。デジタルテレビ受信装置は、放送局から送信された放送電波を受信して、この放送電波に含まれるＨＤＴＶ方式の信号、または１セグメント方式の信号の何れかに対するデコード処理を行なって、映像のモニタ表示及び音声のスピーカ出力を行なう。
【００１３】
図１に示したデジタルテレビ受信装置は、放送局からＯＦＤＭ（直交周波数分割多重変調：Orthogonal Frequency Division Multiplex）方式より変調されて送信されたデジタル方式の放送電波を受信するアンテナ１０、アンテナ１０が受信した放送電波から、予め選択した放送局の電波を選局するチューナ１１（Ｔｕｎｅｒ１）、この選局により得られた信号を復調するＯＦＤＭ部１２（ＯＦＤＭ１）を備える。
【００１４】
第１実施形態におけるデジタルテレビ受信装置は、例えば空間ダイバーシティなどのダイバーシティ方式による受信機能を有しており、アンテナ１０と同じ機能を有するアンテナ１４が受信した放送電波から、予め選択した放送局の電波を選局するチューナ１５と、チューナ１５の選局により得られた信号を復調するＯＦＤＭ部１６を備える。
【００１５】
ＯＦＤＭ部１２とＯＦＤＭ部１６は、相互に接続されており、ＣＰＵ１８からのＴＳ出力ＯＦＤＭ切替信号により何れかがマスタとして動作し、他方がスレーブとして動作する。マスタとして動作するＯＦＤＭ部１２あるいはＯＦＤＭ部１６は、自身が復調した信号と他方のＯＦＤＭ部が復調した信号（ＴＳ（Transport Stream））とを合成してＴＳＰ（Transport Stream Demultiplexing Processor）１９に出力する。以下、ＯＦＤＭ部１２からＴＳＰ１９に対して出力される信号をＴＳ１、ＯＦＤＭ部１６からＴＳＰ１９に対して出力される信号をＴＳ２として示す。
【００１６】
なお、ＯＦＤＭ部１２とＯＦＤＭ部１６には、受信される放送電波の状態を検知するための受信状態検出回路（図示せず）が設けられている。受信電界状態検出回路は、例えばチューナ１１あるいはチューナ１５により受信された信号をもとにＢＥＲ（Bit Error Rate）あるいはＣ／Ｎ（Carrier to noise ratio）などを検出して、ＣＰＵ１８に通知することができる。ＣＰＵ１８は、受信電界状態検出回路からの通知に応じて放送電波の受信状態、すなわち電界強度が予め設定された所定レベルより不良となっているかを監視する。なお、電界強度を判定するための所定レベルは、シングルモードでは安定した番組の視聴ができないと判定されるレベルが設定される。
【００１７】
ＴＳＰ１９は、ＯＦＤＭ部１２あるいはＯＦＤＭ部１６から入力した信号（ＴＳ１，ＴＳ２）の処理を実行するもので、ＨＤＴＶ方式の信号をＭＰＥＧ方式で圧縮された映像信号及び音声信号などに分離し、また、視聴制限が施されている信号に対するデスクランブル処理を行なう。ＴＳＰ１９は、ＯＦＤＭ部１２から出力される信号（ＴＳ１）を入力するための入力ポート（ＴＳポート１）と、ＯＦＤＭ部１６から出力される信号（ＴＳ２）を入力するための入力ポート（ＴＳポート２）とが設けられており、ＣＰＵ１８からの入力ポート切替制御信号により何れかに切り替えられる。
【００１８】
なお、図示していないが、ＴＳＰ１９により分離されたＭＰＥＧ方式で圧縮された映像信号及び音声信号のデコード処理を行なうＭＰＥＧデコーダ部などが設けられている。
【００１９】
また、文字情報などをデコード後の映像に重畳するＯＳＤ（On Screen Display）部２０が設けられている。ＯＳＤ部２０は、ＣＰＵ１８の制御により、ユーザに対してメニューや各種メッセージなどを表示させる。
【００２０】
映像処理部２１は、ＤＳＰ（Digital Signal Processor）などにより構成されるもので、ＴＳＰ１９により分離された映像信号に対してＭＰＥＧデコーダ部（図示せず）によりデコードすることで得られたデジタルビデオ信号を、アナログビデオ信号に変換して表示部（ディスプレイ）２２に出力する。
【００２１】
また、音声処理部２３は、ＤＳＰなどにより構成されるもので、ＴＳＰ１９により分離された音声信号に対してＭＰＥＧデコーダ部（図示せず）によりデコードすることで得られたデジタル音声信号を、アナログ音声信号に変換して音声出力部２４（スピーカ）２２に出力する。
【００２２】
次に、第１実施形態のデジタルテレビ受信装置におけるチャンネル切替時の動作について説明する。
【００２３】
図２は、第１実施形態におけるチャンネル切替処理を説明するためのフローチャート、図３はチャンネル切り替え時の状態遷移を示す図、図４はＯＦＤＭ部１２，１６のＴＳ出力とＴＳＰ１９の入力ポートの切り替えを示す図である。
【００２４】
デジタルテレビ受信装置は、デジタルテレビ放送を受信して、番組の映像と音声を出力している状態にあるものとする。通常の動作時には、デジタルテレビ受信装置は、動作モードをダイバーシティモード（以下、ダイバモードと略称する）として、受信回路（チューナ１１，１５、ＯＦＤＭ部１２，１６）を１組のダイバーシティ受信回路として動作させている。
【００２５】
すなわち、アンテナ１０が受信した放送電波から、予め選択した放送局（チャンネル（Ｃｈ１））の電波をチューナ１１により選局して入力すると共に、同様にして、アンテナ１０と同じ機能を有するアンテナ１５が受信した放送電波からチューナ１１と同じ放送局の電波をチューナ１６により入力する。
【００２６】
ＯＦＤＭ部１２は、チューナ１１により得られたＨＤＴＶ方式の信号を入力して復調する。同様にして、ＯＦＤＭ部１６は、チューナ１５により得られたＨＤＴＶ方式の信号を入力して復調する。
【００２７】
ここで、例えばＣＰＵ１８からのＴＳ出力ＯＦＤＭ切替信号により、ＯＦＤＭ部１２がマスタとして設定されている場合、スレーブのＯＦＤＭ部１６は、復調した信号をＯＦＤＭ部１２に出力する。ＯＦＤＭ部１２は、ＯＦＤＭ部１６において復調された信号を入力して、自身が復調した信号とを合成してＴＳＰ１９に出力する（ＴＳ１出力）。
【００２８】
ＣＰＵ１８は、ＯＦＤＭ部１２をマスタに設定している場合、ＴＳＰ１９に対して入力ポート切り替え信号を出力して、ＯＦＤＭ部１２から出力された信号（ＴＳ１）が入力されるように入力ポートを切り替える（ＴＳポート１）。
【００２９】
ＴＳＰ１９は、ＯＦＤＭ部１２からの信号（ＴＳ１）を入力して、映像信号と音声信号に分離する。映像信号と音声信号は、ＭＰＥＧデコーダ部（図示せず）を介して、それぞれ映像処理部２１、音声処理部２３に出力される。映像処理部２１は、映像信号に応じて表示部２２において映像を表示させ、音声処理部２３は、音声信号に応じて音声出力部２４から音声を出力させる（図３（ａ１）ダイバモード）。
【００３０】
なお、前述した説明では、ＯＦＤＭ部１２をマスタに設定する場合について説明しているが、ＯＦＤＭ部１６をマスタとして設定した場合には、ＯＦＤＭ部１６からＴＳＰ１９に対して信号（ＴＳ２）を出力し、ＴＳＰ１９の入力ポートがＣＰＵ１８の制御によりＴＳポート２に切り替えられ、以下、前述と同様の処理が実行される。
【００３１】
こうして、チャンネル（Ｃｈ１）の番組の視聴が行われている時に、デジタルテレビ受信装置の動作を制御するためのリモコン（図示せず）、あるいは本体に設けられたチャンネル切り替えボタン（図示せず）に対する操作により、チャンネル（Ｃｈ２）への切り替えがユーザから指示されたものとする（図３（ｃ１））。ＣＰＵ１８は、チャンネル（Ｃｈ２）への切り替えを指示するチャンネル切替信号を入力する（ステップＡ１）。
【００３２】
ＣＰＵ１８は、受信状態検出回路からの通知により放送電波の受信状態を監視しており（受信状態監視）、チャンネル切替信号の入力によりチャンネル切り替えの発生を検知した時の電界強度が予め設定された所定レベルより不良（弱電界）となっているかを判別する。
【００３３】
ここで、電界強度が所定レベルより弱電界である場合（ステップＡ２、Ｙｅｓ）、ＣＰＵ１８は、通常のチャンネル切り替え動作を実行する（ステップＡ３）。すなわち、シングルモードに移行すると、表示部２２において表示される映像や音声出力部２４から出力される音声が乱れてしまう電波受信状況にある場合には、ダイバモードによる動作を継続したまま、チャンネル切り替えを行う。例えば、ＣＰＵ１８は、それまで視聴していた番組のチャンネル切り替えが指示された時に表示していた映像（画像）に表示を固定する、あるいは何も表示させないようにして、切り替え先のチャンネル（Ｃｈ２）についての放送電波を受信して、ＯＦＤＭ部１２（あるいはＯＦＤＭ部１６）により復調を開始させる。
【００３４】
ＯＦＤＭ部１２（ＯＦＤＭ部１６）による切り替え先のチャンネル（Ｃｈ２）の信号（ＴＳ２）の復調が確立されると、この復調された信号（ＴＳ）がＴＳＰ１９に入力され、表示部２２及び音声出力部２４から切り替え先のチャンネルの映像及び音声が出力される。この時、ＴＳＰ１９の入力ポートの切り替えは行われない。
【００３５】
この場合、切り替え先のチャンネルの信号に対する復調のためにある程度の時間を要するため、固定された画面あるいは何も表示されていない画面がしばらく表示された後、次のチャンネルの映像が表示されることになる。
【００３６】
一方、電界強度が所定レベルより弱電界でない場合（ステップＡ２、Ｎｏ）、ＣＰＵ１８は、チャンネル切り替えの準備として、ＯＦＤＭ部１２及びＯＦＤＭ部１６に対してダイバ／シングル切替信号を出力して、ダイバモードからシングルモードに動作モードを切り替える（ステップＡ４）（図３（ａ２））。
【００３７】
また、ＣＰＵ１８は、ＯＳＤ部２０に対して、チャンネル切り替え動作中であることをユーザに通知するためのメッセージを表示させる。ＯＳＤ部２０は、ＣＰＵ１８からの指示に応じて、例えば「チャンネル切り替え中」のメッセージの表示データを映像処理部２１に出力して、チャンネル（Ｃｈ１）の映像に重畳させる。これにより、ユーザに対して、チャンネル切り替え操作の後、直ぐに番組が切り替わらないとしても不安感を抱かせることがない。
【００３８】
この時、チャンネル（Ｃｈ１）の復調を実行していたＯＦＤＭ部１２は、そのまま復調を継続して、復調後の信号ＴＳ１をＴＳＰ１９に出力する。従って、それまで視聴されていた番組がそのまま出力されていることになる。
【００３９】
一方、ＯＦＤＭ部１６は、チューナ１５により得られたチャンネル（Ｃｈ２）のＨＤＴＶ方式の信号を入力して復調を開始する。ＯＦＤＭ部１６は、切り替え先のチャンネル（Ｃｈ２）の信号（ＴＳ２）の復調が確立されると、すなわち復調された信号により映像及び音声が出力可能になるとＣＰＵ１８に通知する（ステップＡ５、Ｙｅｓ）。
【００４０】
ＣＰＵ１８は、ＯＦＤＭ部１６による復調が確立され、切り替え先のチャンネルの番組出力が可能な状態になると、ＴＳＰ１９に対して、入力ポートをＯＦＤＭ部１６からの信号を入力するためのＴＳポート２に切り替えるための入力ポート切り替え制御信号を出力する（ステップＡ６）（図３（ｃ２））。
【００４１】
ＴＳＰ１９は、ＣＰＵ１８の制御により入力ポート（ＴＳポート２）を切り替えて、ＯＦＤＭ部１６からの信号（ＴＳ２）を入力し、所定の処理を実行して映像処理部２１及び音声処理部２３により出力させる。これにより、シングルモードにおいて、切り替え先のチャンネル（Ｃｈ２）の番組の視聴が可能となる。
【００４２】
一方、ＣＰＵ１８は、ＯＦＤＭ部１２に対して、切り替え先のチャンネル（Ｃｈ２）の信号に対する復調を開始させる。ＯＦＤＭ部１２は、ＣＰＵ１８からの指示に応じて、チューナ１１により得られたチャンネル（Ｃｈ２）のＨＤＴＶ方式の信号を入力して復調を開始する（ステップＡ７）。ＯＦＤＭ部１２は、切り替え先のチャンネル（Ｃｈ２）の信号（ＴＳ２）の復調が確立されるとＣＰＵ１８に通知する（ステップＡ８、Ｙｅｓ）。
【００４３】
ＣＰＵ１８は、ＯＦＤＭ部１２における復調によりＴＳ１が確立されると、ＯＦＤＭ部１２及びＯＦＤＭ部１６に対してダイバ／シングル切替信号を出力して、シングルモードからダイバモードに動作モードを切り替える（ステップＡ９）。
【００４４】
ここでは、ＯＦＤＭ部１６がマスタとして設定され、スレーブのＯＦＤＭ部１２は、復調した信号をＯＦＤＭ部１６に出力する。ＯＦＤＭ部１６は、ＯＦＤＭ部１２において復調された信号を入力して、自身が復調した信号とを合成してＴＳＰ１９に出力する（ＴＳ２出力）。
【００４５】
ＴＳＰ１９は、ＯＦＤＭ部１６からの信号（ＴＳ２）を入力して、映像信号と音声信号に分離する。映像信号と音声信号は、ＭＰＥＧデコーダ部（図示せず）を介して、それぞれ映像処理部２１、音声処理部２３に出力される。映像処理部２１は、映像信号に応じて表示部２２において映像を表示させ、音声処理部２３は、音声信号に応じて音声出力部２４から音声を出力させる（図３（ａ３）ダイバモード）。
【００４６】
このようにして、第１実施形態のデジタルテレビ受信装置では、チャンネル切り替えが発生した場合、電波の受信状態が良好な場合には、シングルモードに動作モードを変更し、一方のＯＦＤＭ部によりそれまで受信していたチャンネルの復調を継続して実行することで、この番組をそのまま視聴可能な状態にすると共に、他方のＯＦＤＭ部１６により切り替え先のチャンネルの復調を開始し、この復調が完了した時点でダイバモードに移行して切り替え先のチャンネルの番組に出力を開始する。
【００４７】
これにより、チャンネル切り替え時に、切り替え先のチャンネルの信号の復調が確立するまでの時間において、それまで視聴されていた番組をそのまま出力させておくことができるので、映像が固定して表示されたり、あるいは何も表示されないといった状態が発生しないので、ユーザに対して不快感を与えることがなくなる。また、チャンネル切り替えの遷移中以外では、ダイバモードにより動作するので、安定した受信性能を確保することができる。
【００４８】
（第２実施形態）  
次に、第２実施形態について説明する。  
図５は、第２実施形態におけるデジタルテレビ受信装置の構成を示すブロック図である。  
第２実施形態におけるデジタルテレビ受信装置は、第１実施形態において説明したデジタルテレビ受信装置にさらに、チャンネル切り替え時に並行に動作することができるＭＰＥＧデコーダ部３２，３３を設けた構成を有する。なお、図５において、図１に示す第１実施形態のデジタルテレビ受信装置と同様の構成部分については同一符号を付して詳細な説明を省略する。
【００４９】
第２実施形態のデジタルテレビ受信装置には、２つのＭＰＥＧデコーダ部３２，３３が設けられている。ＭＰＥＧデコーダ部３２，３３は、ＭＰＥＧ方式で圧縮された映像信号及び音声信号のデコード処理を行なうもので、ＣＰＵ３０によりチャンネル切り替え時の動作モード（シングルモード、ダイバモード）の切り替えに応じて動作が制御される。
【００５０】
ＴＳＰ３１は、チャンネル切り替え時に動作モードがシングルモードに移行された場合、ＯＦＤＭ部１２，１６からの信号（ＴＳ１，ＴＳ２）を入力し、それぞれに対して処理した信号をＭＰＥＧデコーダ部３２，３３に出力する。これにより、ＭＰＥＧデコーダ部３２，３３は、チャンネル切り替え時に並行に動作することができる。
【００５１】
映像処理部３４は、ＤＳＰなどにより構成されるもので、ＭＰＥＧデコーダ部３２，３３によりデコードすることで得られたデジタルビデオ信号を、アナログビデオ信号に変換して表示部（ディスプレイ）２２に出力する。映像処理部２１は、ＭＰＥＧデコーダ部３２から出力される映像信号（ＭＰＥＧ１）を入力するための入力ポートとＭＰＥＧデコーダ部３３から出力される映像信号（ＭＰＥＧ２）を入力するための入力ポートが設けられており、ＣＰＵ３０からの入力ＭＰＥＧ切替信号により何れかに切り替えられる。
【００５２】
また、音声処理部３５は、ＤＳＰなどにより構成されるもので、ＭＰＥＧデコーダ部３２，３３によりデコードすることで得られたデジタル音声信号を、アナログ音声信号に変換して音声出力部２４（スピーカ）２２に出力する。音声処理部２３は、ＭＰＥＧデコーダ部３２から出力される音声信号（ＭＰＥＧ１）を入力するための入力ポートとＭＰＥＧデコーダ部３３から出力される音声信号（ＭＰＥＧ２）を入力するための入力ポートが設けられており、ＣＰＵ３０からの入力ＭＰＥＧ切替信号により何れかに切り替えられる。
【００５３】
次に、第２実施形態のデジタルテレビ受信装置におけるチャンネル切替時の動作について説明する。
【００５４】
図６は、第２実施形態におけるチャンネル切替処理を説明するためのフローチャート、図７はチャンネル切り替え時の状態遷移を示す図、図８はＯＦＤＭ部１２，１６のＴＳ出力とＴＳＰ３１の入力ポート、及びＭＰＥＧデコーダ部３２，３３の出力の切り替えを示す図である。
【００５５】
デジタルテレビ受信装置は、デジタルテレビ放送を受信して、番組の映像と音声を出力している状態にあるものとする。通常の動作時には、デジタルテレビ受信装置は、動作モードをダイバモードとして、受信回路（チューナ１１，１５、ＯＦＤＭ部１２，１６）を１組のダイバーシティ受信回路として動作させている。
【００５６】
すなわち、アンテナ１０が受信した放送電波から、予め選択した放送局（チャンネル（Ｃｈ１））の電波をチューナ１１により選局して入力すると共に、同様にして、アンテナ１０と同じ機能を有するアンテナ１５が受信した放送電波からチューナ１１と同じ放送局の電波をチューナ１６により入力する。
【００５７】
ＯＦＤＭ部１２は、チューナ１１により得られたＨＤＴＶ方式の信号を入力して復調する。同様にして、ＯＦＤＭ部１６は、チューナ１５により得られたＨＤＴＶ方式の信号を入力して復調する。
【００５８】
ここで、例えばＣＰＵ３０からのＴＳ出力ＯＦＤＭ切替信号により、ＯＦＤＭ部１２がマスタとして設定されている場合、スレーブのＯＦＤＭ部１６は、復調した信号をＯＦＤＭ部１２に出力する。ＯＦＤＭ部１２は、ＯＦＤＭ部１６において復調された信号を入力して、自身が復調した信号とを合成してＴＳＰ３１に出力する（ＴＳ１出力）。
【００５９】
ＣＰＵ３０は、ＯＦＤＭ部１２をマスタに設定している場合、ＴＳＰ３１に対して入力ポート切り替え信号を出力して、ＯＦＤＭ部１２から出力された信号（ＴＳ１）が入力されるように入力ポートを切り替える（ＴＳポート１）。
【００６０】
ＴＳＰ３１は、ＯＦＤＭ部１２からの信号（ＴＳ１）を入力して、映像信号と音声信号に分離する。ＣＰＵ３０は、ＭＰＥＧデコーダ部３２，３３に対して入力ＴＳ切り替え信号を出力して、何れか一方によりＴＳＰ３１から出力される映像信号と音声信号のデコードを実行させる。ここでは、ＭＰＥＧデコーダ部３２がＴＳＰ３１から出力される信号を入力してデコードを実行しているものとする。
【００６１】
ＭＰＥＧデコーダ部３２は、デコードしたデジタル映像信号を映像処理部３４に出力し、またデジタル音声信号を音声処理部３５に出力する。映像処理部３４は、ＭＰＥＧデコーダ部３２によりデコードされたデジタル映像信号をアナログ映像信号に変換して、表示部２２において映像を表示させる。また、音声処理部２３は、ＭＰＥＧデコーダ部３２によりデコードされたデジタル音声信号をアナログ音声信号に変換して、音声出力部２４から音声を出力させる（図７（ａ１）ダイバモード）。
【００６２】
こうして、チャンネル（Ｃｈ１）の番組の視聴が行われている時に、デジタルテレビ受信装置の動作を制御するためのリモコン（図示せず）、あるいは本体に設けられたチャンネル切り替えボタン（図示せず）に対する操作により、チャンネル（Ｃｈ２）への切り替えがユーザから指示されたものとする（図７（ｃ１））。ＣＰＵ３０は、チャンネル（Ｃｈ２）への切り替えを指示するチャンネル切替信号を入力する（ステップＢ１）。
【００６３】
ＣＰＵ３０は、受信状態検出回路からの通知により放送電波の受信状態を監視しており（受信状態監視）、チャンネル切替信号の入力によりチャンネル切り替えの発生を検知した時の電界強度が予め設定された所定レベルより不良（弱電界）となっているかを判別する。
【００６４】
ここで、電界強度が所定レベルより弱電界である場合（ステップＢ２、Ｙｅｓ）、ＣＰＵ３０は、第１実施形態と同様にして、通常のチャンネル切り替え動作を実行する（ステップＢ３）（詳細な説明を省略する）。
【００６５】
一方、電界強度が所定レベルより弱電界でない場合（ステップＢ２、Ｎｏ）、ＣＰＵ３０は、チャンネル切り替えの準備として、ＯＦＤＭ部１２及びＯＦＤＭ部１６に対してダイバ／シングル切替信号を出力して、ダイバモードからシングルモードに動作モードを切り替える（ステップＢ４）（図７（ａ２））。
【００６６】
また、ＣＰＵ３０は、ＯＳＤ部２０に対して、第１実施形態と同様にして、チャンネル切り替え動作中であることをユーザに通知するためのメッセージを表示させる（詳細な説明を省略する）。
【００６７】
この時、チャンネル（Ｃｈ１）の復調を実行していたＯＦＤＭ部１２は、そのまま復調を継続して、復調後の信号ＴＳ１をＴＳＰ３１に出力する。また、ＴＳＰ３１は、ＯＦＤＭ部１２からの信号を処理して、ＭＰＥＧデコーダ部３２に出力する。従って、それまで視聴されていた番組がそのまま出力されていることになる。
【００６８】
一方、ＯＦＤＭ部１６は、チューナ１５により得られたチャンネル（Ｃｈ２）のＨＤＴＶ方式の信号を入力して復調を開始する。ＯＦＤＭ部１６は、切り替え先のチャンネル（Ｃｈ２）の信号（ＴＳ２）の復調が確立されるとＣＰＵ３０に通知する（ステップＢ５、Ｙｅｓ）。
【００６９】
ＣＰＵ３０は、ＯＦＤＭ部１６による復調が確立されると、ＴＳＰ３１に対して、ＯＦＤＭ部１２からの信号（ＴＳ１）をＴＳポート１より入力するのと並行して、ＯＦＤＭ部１６からの信号（ＴＳ２）をＴＳポート２より入力するように入力ポート切り替え制御信号を出力する。
【００７０】
ＴＳＰ３１は、ＣＰＵ３０の制御により、ＯＦＤＭ部１６からの信号（ＴＳ２）を入力ポート（ＴＳポート２）から入力し、所定の処理を実行してＭＰＥＧデコーダ部３３に出力する。
【００７１】
また、ＣＰＵ３０は、ＭＰＥＧデコーダ部３３（ＭＰＥＧデコード２）に対して入力ＴＳ切替信号を出力して、ＴＳＰ３１から出力される信号のデコードを開始させる（図７（ｃ２））。
【００７２】
そして、ＭＰＥＧデコーダ部３３によるデコードが確立されると、ＣＰＵ３０は、映像処理部３４と音声処理部３５に対して入力ＭＰＥＧ切替信号を出力して、ＭＰＥＧデコーダ部３２からの信号（ＭＰＥＧ１）に代えて、ＭＰＥＧデコーダ部３３からの信号が入力されるように入力ポートの切り替えを実行する（ステップＢ８）（図７（ｃ３））。
【００７３】
これにより、シングルモードにおいて、切り替え先のチャンネル（Ｃｈ２）の番組の視聴が可能となる。
【００７４】
一方、ＣＰＵ３０は、ＯＦＤＭ部１２に対して、切り替え先のチャンネル（Ｃｈ２）の信号に対する復調を開始させる。ＯＦＤＭ部１２は、ＣＰＵ３０からの指示に応じて、チューナ１１により得られたチャンネル（Ｃｈ２）のＨＤＴＶ方式の信号を入力して復調を開始する（ステップＢ９）。ＯＦＤＭ部１２は、切り替え先のチャンネル（Ｃｈ２）の信号（ＴＳ２）の復調が確立されるとＣＰＵ３０に通知する（ステップＢ１０、Ｙｅｓ）。
【００７５】
ＣＰＵ３０は、ＯＦＤＭ部１２における復調によりＴＳ１が確立されると、ＯＦＤＭ部１２及びＯＦＤＭ部１６に対してダイバ／シングル切替信号を出力して、シングルモードからダイバモードに動作モードを切り替える（ステップＢ１１）。
【００７６】
ここでは、ＯＦＤＭ部１６がマスタとして設定され、スレーブのＯＦＤＭ部１２は、復調した信号をＯＦＤＭ部１６に出力する。ＯＦＤＭ部１６は、ＯＦＤＭ部１２において復調された信号を入力して、自身が復調した信号とを合成してＴＳＰ３１に出力する（ＴＳ２出力）。
【００７７】
ＴＳＰ３１は、ＣＰＵ３０からの入力ポート切替信号に応じて入力ポートを切り替えて、ＯＦＤＭ部１６からの信号（ＴＳ２）を入力し、映像信号と音声信号に分離する。映像信号と音声信号は、ＭＰＥＧデコーダ部３３を介して、それぞれ映像処理部３４、音声処理部３５に出力される。映像処理部３４は、映像信号に応じて表示部２２において映像を表示させ、音声処理部３５は、音声信号に応じて音声出力部２４から音声を出力させる（図７（ａ３）ダイバモード）。
【００７８】
このようにして、第２実施形態のデジタルテレビ受信装置では、第１実施例と同様にして、チャンネル切り替え時にＯＦＤＭ部１２，１６における復調を変更して実行させるだけでなく、復調された信号のデコードについてもＭＰＥＧデコーダ部３２，３３を並行に動作させ、切替先のチャンネルの信号のデコードが確立された時点で、映像処理部３４及び音声処理部３５により入力される信号（ＭＰＥＧ１，２）を切り替えて、切り替え先のチャンネルの番組の出力を開始することができる。
【００７９】
これにより、チャンネル切り替え時に、ＴＳのデコードが確立するまでの時間においても、それまで視聴されていた番組をそのまま出力させておくことができるので、ユーザに対して不快感を与えることがなくなる。
【００８０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００８１】
【図１】本発明の第１実施形態におけるデジタルテレビ受信装置の構成を示すブロック図。
【図２】第１実施形態におけるチャンネル切替処理を説明するためのフローチャート。
【図３】チャンネル切り替え時の状態遷移を示す図。
【図４】ＯＦＤＭ部１２，１６のＴＳ出力とＴＳＰ１９の入力ポートの切り替えを示す図。
【図５】本発明の第２実施形態におけるデジタルテレビ受信装置の構成を示すブロック図。
【図６】第２実施形態におけるチャンネル切替処理を説明するためのフローチャート。
【図７】チャンネル切り替え時の状態遷移を示す図。
【図８】ＯＦＤＭ部１２，１６のＴＳ出力とＴＳＰ３１の入力ポート、及びＭＰＥＧデコーダ部３２，３３の出力の切り替えを示す図。
【符号の説明】
【００８２】
１０，１４…アンテナ、１１，１５…チューナ、１２…ＯＦＤＭ部、１８，３０…ＣＰＵ、１９，３１…ＴＳＰ、２０…ＯＳＤ部、２１，３４…映像処理部、２２…表示部、２３，３５…音声処理部、２４…音声出力部、３２，３３…ＭＰＥＧデコーダ部。
【図１】
2006332762.tif 000003
【図２】
2006332762.tif 000004
【図３】
2006332762.tif 000005
【図４】
2006332762.tif 000006
【図５】
2006332762.tif 000007
【図６】
2006332762.tif 000008
【図７】
2006332762.tif 000009
【図８】
2006332762.tif 000010